(57)【要約】【課題】文字の入力が容易になる映像記録再生装置を提供する。【解決手段】文字の入力を受け付けるために、映像記録再生装置が備えるＣＰＵが実行する処理は、タイトルの入力の開始を表わす信号の受信を検知するステップ（Ｓ５１０)と、軌跡の入力の開始を表わす信号の受信を検知するステップ（Ｓ５１４）と、軌跡の入力の終了を表わす信号を受信したか否かを判断するステップ（Ｓ５２０）と、文字の入力を終了するか否かを問い合わせるメッセージを出力するステップ（Ｓ５２２）と、文字の入力の終了を表わす信号を受信したか否かを判断するステップ（Ｓ５３０)と、文字を漢字に変換する指示を表わす信号を受信したか否かを判断するステップ（Ｓ５４０）と、タイトルの入力の終了を表わす信号を受信したか否かを判断するステップ（Ｓ５５０）とを含む。【選択図】図５
2008108051.tif 000002
【特許請求の範囲】
【請求項１】
映像記録再生装置であって、
被写体を撮影して映像信号を出力するカメラと、
前記映像記録再生装置を制御するリモコン端末から発信される信号を受信する受信手段と、
タイトルの入力の開始を表わす信号を前記受信手段が前記リモコン端末から受信したことに基づいて、撮影を受け付ける状態に前記カメラを待機させる待機手段と、
軌跡の入力の開始を表わす信号を前記受信手段が前記リモコン端末から受信したことに基づいて、前記カメラによる撮影を開始して被写体を表わす映像信号を取得する取得手段と、
前記軌跡の入力の終了を表わす信号を前記受信手段が前記リモコン端末から受信したことに基づいて、前記取得手段による映像信号の取得を停止させる停止手段と、
文字の入力の終了を表わす第１の終了信号を前記受信手段が前記リモコン端末から受信するまで、前記取得手段による前記映像信号の取得と、前記停止手段による前記取得の停止と繰り返すことにより、前記カメラによって取得された軌跡を表わす軌跡データを取得する第１の制御手段と、
前記軌跡データに基づく画像を表示するためのデータを前記映像記録再生装置の外部に出力するための第１の出力制御手段と、
線画を文字に変換するための辞書を格納する記憶手段と、
前記受信手段が前記第１の終了信号を受信したことに基づいて、前記辞書を参照して、前記軌跡データに基づく軌跡から文字を認識する文字認識手段と、
前記文字認識手段によって認識された文字を表示するためのデータを前記映像記録再生装置の外部に出力するための第２の出力制御手段と、
前記タイトルの入力の終了を表わす第２の終了信号を前記受信手段が前記リモコン端末から受信するまで、前記取得手段による映像信号の取得と、前記停止手段による前記取得の停止と、前記第１の制御手段による軌跡データの取得と、前記文字認識手段による文字の認識とを繰り返す第２の制御手段と、
前記文字認識手段によって認識された文字を格納するタイトル記憶手段とを備える、映像記録再生装置。
【請求項２】
被写体を撮影して映像信号を出力する撮影手段と、
映像のタイトルを入力するための操作入力を受け付ける入力手段と、
軌跡の入力の開始を表わす操作入力に基づいて、前記撮影手段による撮影を開始して被写体を表わす映像信号を取得する取得手段と、
前記軌跡の入力の終了を表わす操作入力に基づいて、前記取得手段による映像信号の取得を停止させる停止手段と、
前記取得手段による前記映像信号の取得と、前記停止手段による前記取得の停止と繰り返すことにより、前記撮影手段によって取得された軌跡を表わす軌跡データを取得する第１の制御手段と、
線画を文字に変換するための辞書を格納する記憶手段と、
前記辞書を参照して、軌跡から文字を認識する文字認識手段と、
前記取得手段による映像信号の取得と、前記停止手段による前記取得の停止と、前記第１の制御手段による軌跡データの取得と、前記文字認識手段による文字の認識とを繰り返す第２の制御手段と、
前記文字認識手段によって認識された文字を格納するタイトル記憶手段とを備える、映像記録再生装置。
【請求項３】
前記入力手段は、前記映像記録再生装置を制御するリモコン端末から発信される信号を受信する受信手段を含む、請求項２に記載の映像記録再生装置。
【請求項４】
タイトルの入力の開始を表わす信号を前記受信手段が前記リモコン端末から受信したことに基づいて、撮影を受け付ける状態に前記カメラを待機させる待機手段をさらに備え、
前記取得手段は、軌跡の入力の開始を表わす信号を前記受信手段が前記リモコン端末から受信したことに基づいて、前記カメラによる撮影を開始して被写体を表わす映像信号を取得し、
前記停止手段は、前記軌跡の入力の終了を表わす信号を前記受信手段が前記リモコン端末から受信したことに基づいて、前記取得手段による映像信号の取得を停止させ、
前記第１の制御手段は、文字の入力の終了を表わす第１の終了信号を前記受信手段が前記リモコン端末から受信するまで、前記取得手段による前記映像信号の取得と、前記停止手段による前記取得の停止と繰り返すことにより、前記撮影手段によって取得された軌跡を表わす軌跡データを取得し、
前記文字認識手段は、前記受信手段が前記第１の終了信号を受信したことに基づいて、前記辞書を参照して、前記軌跡データに基づく軌跡から文字を認識し、
前記第２の制御手段は、前記タイトルの入力の終了を表わす第２の終了信号を前記受信手段が前記リモコン端末から受信するまで、前記取得手段による映像信号の取得と、前記停止手段による前記取得の停止と、前記第１の制御手段による軌跡データの取得と、前記文字認識手段による文字の認識とを反復させる、請求項３に記載の映像記録再生装置。
【請求項５】
前記軌跡データに基づく画像を表示するためのデータを前記映像記録再生装置の外部に出力するための第１の出力制御手段をさらに備える、請求項２に記載の映像記録再生装置。
【請求項６】
前記文字認識手段によって認識された文字を表示するためのデータを前記映像記録再生装置の外部に出力するための第２の出力制御手段をさらに備える、請求項２に記載の映像記録再生装置。
【請求項７】
映像記録再生装置と、
前記映像記録再生装置を制御する信号を発信するリモコン端末とを備え、
前記映像記録再生装置は、
被写体を撮影して映像信号を出力するカメラと、
前記リモコン端末から発信される信号を受信する受信手段と、
タイトルの入力の開始を表わす信号が前記受信手段によって受信されたことに基づいて、撮影を受け付ける状態に前記カメラを待機させる待機手段と、
軌跡の入力の開始を表わす信号が前記受信手段によって受信されたことに基づいて、前記カメラによる撮影を開始して被写体を表わす映像信号を取得する取得手段と、
前記軌跡の入力の終了を表わす信号が前記受信手段によって受信されたことに基づいて、前記取得手段による映像信号の取得を停止させる停止手段と、
文字の入力の終了を表わす第１の終了信号が前記受信手段によって受信されるまで、前記取得手段による前記映像信号の取得と、前記停止手段による前記取得の停止と繰り返すことにより、前記カメラによって取得された軌跡を表わす軌跡データを取得する第１の制御手段と、
前記軌跡データに基づく画像を表示するためのデータを前記映像記録再生装置の外部に出力するための第１の出力制御手段と、
線画を文字に変換するための辞書を格納する記憶手段と、
前記受信手段が前記第１の終了信号を受信したことに基づいて、前記辞書を参照して、前記軌跡データに基づく軌跡から文字を認識する文字認識手段と、
前記文字認識手段によって認識された文字を表示するためのデータを前記映像記録再生装置の外部に出力するための第２の出力制御手段と、
前記タイトルの入力の終了を表わす第２の終了信号を前記受信手段が前記リモコン端末から受信するまで、前記取得手段による映像信号の取得と、前記停止手段による前記取得の停止と、前記第１の制御手段による軌跡データの取得と、前記文字認識手段による文字の認識とを繰り返す第２の制御手段と、
前記文字認識手段によって認識された文字を格納するタイトル記憶手段とを備える、文字の入力システム。
【発明の詳細な説明】
【技術分野】
【０００１】
本発明は文字を入力するためのインターフェイス技術に関する。より特定的には、本発明は、文字を構成する動きを撮影してその撮影の結果に基づいて文字を認識する技術に関する。
【背景技術】
【０００２】
ハードディスクレコーダ装置、ＤＶＤ（Digital  Versatile  Disc）レコーダ等の映像記録再生装置は、文字の入力を受け付けて、当該装置の使用者が意図するタイトルを記録されたデータに関連付けることができる。この場合、文字の入力は、たとえば、文字の入力画面を表示するテレビを見ながら、リモコン端末を操作することにより行なわれる。
【０００３】
しかし、リモコン端末を操作して文字を入力するのは、煩雑であり、手間がかかるという問題もある。
【０００４】
文字の入力に関し、たとえば、特開２００２−２５９０４６号公報（特許文献１）は、空中で手書した文字・記号の入力システムを開示している。このシステムによると、指やジェスチャによって空中で文字等を描くための動作は動画撮影用カメラで撮影される。撮影中の音声はマイクロホンで集音される。撮影された映像および集音された音声はコンピュータに送信される。当該コンピュータは画像解析と音声解析によって描かれた文字パターンをデータベースのパターンと照合して認識する。認識結果はディスプレイに表示される。
【特許文献１】特開２００２−２５９０４６号公報
【発明の開示】
【発明が解決しようとする課題】
【０００５】
しかしながら、特開２００２−２５９０４６号公報に開示された技術によると、動画を撮影することにより映像を取得するため、手書の動作が随時撮影されることになる。そのため、動作が誤って認識される場合もあり、文字の入力を精度よく行なうことができない場合もあった。
【０００６】
本発明は、上述の問題点を解決するためになされたものであって、その目的は、文字の入力を容易に実現できる映像記録再生装置を提供することである。
【０００７】
他の目的は、精度よく文字を入力できる映像記録再生装置を提供することである。
【０００８】
他の目的は、文字の入力を容易に実現できる文字の入力システムを提供することである。
【０００９】
さらに他の目的は、文字の入力を精度よく実現できる文字の入力システムを提供することである。
【課題を解決するための手段】
【００１０】
上記の目的を達成するために、この発明のある局面に従う映像記録再生装置は、被写体を撮影して映像信号を出力するカメラと、映像記録再生装置を制御するリモコン端末から発信される信号を受信する受信手段と、タイトルの入力の開始を表わす信号を受信手段がリモコン端末から受信したことに基づいて、撮影を受け付ける状態にカメラを待機させる待機手段と、軌跡の入力の開始を表わす信号を受信手段がリモコン端末から受信したことに基づいて、カメラによる撮影を開始して被写体を表わす映像信号を取得する取得手段と、軌跡の入力の終了を表わす信号を受信手段がリモコン端末から受信したことに基づいて、取得手段による映像信号の取得を停止させる停止手段と、文字の入力の終了を表わす第１の終了信号を受信手段がリモコン端末から受信するまで、取得手段による映像信号の取得と、停止手段による取得の停止と繰り返すことにより、カメラによって取得された軌跡を表わす軌跡データを取得する第１の制御手段と、軌跡データに基づく画像を表示するためのデータを映像記録再生装置の外部に出力するための第１の出力制御手段と、線画を文字に変換するための辞書を格納する記憶手段と、受信手段が第１の終了信号を受信したことに基づいて、辞書を参照して、軌跡データに基づく軌跡から文字を認識する文字認識手段と、文字認識手段によって認識された文字を表示するためのデータを映像記録再生装置の外部に出力するための第２の出力制御手段と、タイトルの入力の終了を表わす第２の終了信号を受信手段がリモコン端末から受信するまで、取得手段による映像信号の取得と、停止手段による取得の停止と、第１の制御手段による軌跡データの取得と、文字認識手段による文字の認識とを繰り返す第２の制御手段と、文字認識手段によって認識された文字を格納するタイトル記憶手段とを備える。
【００１１】
この発明の他の局面に従う映像記録再生装置は、被写体を撮影して映像信号を出力する撮影手段と、映像のタイトルを入力するための操作入力を受け付ける入力手段と、軌跡の入力の開始を表わす操作入力に基づいて、撮影手段による撮影を開始して被写体を表わす映像信号を取得する取得手段と、軌跡の入力の終了を表わす操作入力に基づいて、取得手段による映像信号の取得を停止させる停止手段と、取得手段による映像信号の取得と、停止手段による取得の停止と繰り返すことにより、撮影手段によって取得された軌跡を表わす軌跡データを取得する第１の制御手段と、線画を文字に変換するための辞書を格納する記憶手段と、辞書を参照して、軌跡から文字を認識する文字認識手段と、取得手段による映像信号の取得と、停止手段による取得の停止と、第１の制御手段による軌跡データの取得と、文字認識手段による文字の認識とを繰り返す第２の制御手段と、文字認識手段によって認識された文字を格納するタイトル記憶手段とを備える。
【００１２】
好ましくは、入力手段は、映像記録再生装置を制御するリモコン端末から発信される信号を受信する受信手段を含む。
【００１３】
好ましくは、映像記録再生装置は、タイトルの入力の開始を表わす信号を受信手段がリモコン端末から受信したことに基づいて、撮影を受け付ける状態にカメラを待機させる待機手段をさらに備える。取得手段は、軌跡の入力の開始を表わす信号を受信手段がリモコン端末から受信したことに基づいて、カメラによる撮影を開始して被写体を表わす映像信号を取得する。停止手段は、軌跡の入力の終了を表わす信号を受信手段がリモコン端末から受信したことに基づいて、取得手段による映像信号の取得を停止させる。第１の制御手段は、文字の入力の終了を表わす第１の終了信号を受信手段がリモコン端末から受信するまで、取得手段による映像信号の取得と、停止手段による取得の停止と繰り返すことにより、撮影手段によって取得された軌跡を表わす軌跡データを取得する。文字認識手段は、受信手段が第１の終了信号を受信したことに基づいて、辞書を参照して、軌跡データに基づく軌跡から文字を認識する。第２の制御手段は、タイトルの入力の終了を表わす第２の終了信号を受信手段がリモコン端末から受信するまで、取得手段による映像信号の取得と、停止手段による取得の停止と、第１の制御手段による軌跡データの取得と、文字認識手段による文字の認識とを反復させる。
【００１４】
好ましくは、映像記録再生装置は、軌跡データに基づく画像を表示するためのデータを映像記録再生装置の外部に出力するための第１の出力制御手段をさらに備える。
【００１５】
好ましくは、映像記録再生装置は、文字認識手段によって認識された文字を表示するためのデータを映像記録再生装置の外部に出力するための第２の出力制御手段をさらに備える。
【００１６】
この発明のさらに他の局面に従うと、文字の入力システムが提供される。このシステムは、映像記録再生装置と、映像記録再生装置を制御する信号を発信するリモコン端末とを備える。映像記録再生装置は、被写体を撮影して映像信号を出力するカメラと、リモコン端末から発信される信号を受信する受信手段と、タイトルの入力の開始を表わす信号が受信手段によって受信されたことに基づいて、撮影を受け付ける状態にカメラを待機させる待機手段と、軌跡の入力の開始を表わす信号が受信手段によって受信されたことに基づいて、カメラによる撮影を開始して被写体を表わす映像信号を取得する取得手段と、軌跡の入力の終了を表わす信号が受信手段によって受信されたことに基づいて、取得手段による映像信号の取得を停止させる停止手段と、文字の入力の終了を表わす第１の終了信号が受信手段によって受信されるまで、取得手段による映像信号の取得と、停止手段による取得の停止と繰り返すことにより、カメラによって取得された軌跡を表わす軌跡データを取得する第１の制御手段と、軌跡データに基づく画像を表示するためのデータを映像記録再生装置の外部に出力するための第１の出力制御手段と、線画を文字に変換するための辞書を格納する記憶手段と、受信手段が第１の終了信号を受信したことに基づいて、辞書を参照して、軌跡データに基づく軌跡から文字を認識する文字認識手段と、文字認識手段によって認識された文字を表示するためのデータを映像記録再生装置の外部に出力するための第２の出力制御手段と、タイトルの入力の終了を表わす第２の終了信号を受信手段がリモコン端末から受信するまで、取得手段による映像信号の取得と、停止手段による取得の停止と、第１の制御手段による軌跡データの取得と、文字認識手段による文字の認識とを繰り返す第２の制御手段と、文字認識手段によって認識された文字を格納するタイトル記憶手段とを備える。
【発明の効果】
【００１７】
本発明に係る映像記録再生装置によると、文字の入力を容易にまた精度よく実現できる。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜第１の実施の形態＞
【００２０】
図１を参照して、本発明の第１の実施の形態に係る映像記録再生装置１００について説明する。図１は、映像記録再生装置１００の使用態様を表わす図である。映像記録再生装置１００は、部屋１０に設置されている。映像記録再生装置１００は、ケーブル１９０を介してテレビ２００に接続されている。部屋１０には、椅子２０が設置されている。椅子２０には、視聴者３０が座っている。視聴者３０は、映像記録再生装置１００を制御するためのリモコン端末５０を左手に把持している。視聴者３０は、右手の人差指４０を用いて、録画した番組のタイトルを入力するための動作を、映像記録再生装置１００に向けて行なう。
【００２１】
図２を参照して、映像記録再生装置１００の構成について説明する。図２は、映像記録再生装置１００によって実現される機能の構成を表わすブロック図である。映像記録再生装置１００は、入力部２１０と、撮影部２２０と、処理部２３０と、一時記憶部２４０と、辞書記憶部２５０と、タイトル記憶部２６０と、出力部２７０とを備える。処理部２３０は、撮影制御部２３２と、文字認識部２３４と、表示制御部２３６とを含む。
【００２２】
入力部２１０は、映像記録再生装置１００に記録された映像のタイトルを入力するための操作入力を受け付ける。ある局面においては、入力部２１０は、リモコン端末５０から発信される信号を受信する受光素子として実現される。他の局面においては、入力部２１０は、映像記録再生装置１００の筐体の前面に設けられたタッチパネルその他の入力インターフェイスとしても実現され得る。
【００２３】
撮影部２２０は、被写体を撮影して当該被写体に応じた映像信号を出力する。撮影部２２０は、たとえばＣＣＤ（Charge Coupled Device）あるいはＣＭＯＳ（Complementary Metal-Oxide Semiconductor）を有するカメラとして実現される。
【００２４】
処理部２３０は、映像記録再生装置１００が有する各構成要素の動作を制御する。処理部２３０は、入力部２１０からの出力と、一時記憶部２４０、辞書記憶部２５０またはタイトル記憶部２６０に格納されている各データとに基づいて作動するように、各構成要素に接続されている。
【００２５】
ある局面においては、処理部２３０は、撮影制御部２３２として、軌跡の入力の開始を表わす操作入力に基づいて撮影部２２０による撮影を開始して被写体を表わす映像信号を取得する。当該映像信号は、一時記憶部２４０に格納される。
【００２６】
入力部２１０は、軌跡の入力の開始を表わす操作入力を受け付ける。たとえば、入力部２１０は、赤外線信号として発信された信号を、操作入力として受信する。
【００２７】
他の局面においては、入力部２１０が上記軌跡の入力の終了を表わす操作入力を受け付けると、処理部２３０は、撮影制御部２３２として撮影部２２０による上記映像信号の取得を停止させる。
【００２８】
さらに、撮影制御部２３２は、上記映像信号の取得と当該取得の停止とを繰り返すことにより撮影部２２０によって取得された軌跡を表わす軌跡データを取得する。軌跡データは、一時記憶部２４０に一時的に格納される。
【００２９】
処理部２３０は、さらに別の局面においては、映像信号の取得と、当該取得の停止と、上記軌跡データの取得と、文字認識部２３４による文字の認識とを反復させる。辞書記憶部２５０は、線画を文字に変換するための辞書（たとえばＯＣＲ（Optical Character Recognition）辞書を格納している。
【００３０】
文字認識部２３４は、辞書記憶部２５０に格納されている当該辞書を参照して、一時記憶部２４０に格納されている軌跡データによって特定される軌跡から、文字を認識する。
【００３１】
タイトル記憶部２６０は、文字認識部２３４によって認識された文字を格納する。好ましくは、タイトル記憶部２６０は、当該文字と当該文字が関連付けられる録画データとの関係を保持しつつ当該文字を格納する。
【００３２】
好ましくは、処理部２３０は、タイトルの入力の開始を表わす信号を入力部２１０がリモコン端末５０から受信したことに基づいて、撮影部２２０を撮影を受け付ける状態に待機させる。入力部２１０が軌跡の入力の終了を表わす信号を受信すると、撮影制御部２３２は撮影部２２０によって撮影される映像信号の取得を停止させる。
【００３３】
出力部２７０は、上記軌跡データに基づく画像を表示するためのデータを映像記録再生装置１００の外部に出力する。出力部２７０は、たとえばケーブル１９０が接続される出力インターフェイスとして実現される。出力部２７０は、他の局面においては、文字認識部２３４によって認識された文字を表示するためのデータを映像記録再生装置１００の外部に出力する。
【００３４】
図３を参照して、本実施の形態に係る映像記録再生装置１００の具体的構成について説明する。図３は、映像記録再生装置１００の一態様として実現されるハードディスクレコーダ３００のハードウェア構成を表わすブロック図である。
【００３５】
ハードディスクレコーダ３００は、アンテナ３０２に接続されている。またハードディスクレコーダ３００は、ケーブル３９２を介してテレビ３９０に接続される。ハードディスクレコーダ３００は、その主たる構成として、チューナ３０４と、外部入力部３０６と、ＭＰＥＧ（Moving Picture Experts Group）エンコーダ３０８と、ＣＰＵ（Central Processing Unit）３１０と、受光部３２０と、操作部３２２と、カメラ３２４と、Ａ／Ｄ（Analog to Digital）変換部３２６と、計時回路３２８と、表示部３３０と、ハードディスク装置３４０と、ＭＰＥＧデコーダ３５０と、ＯＳＤ（On Screen Display）画像生成回路３５２と、合成回路３５４と、Ｄ／Ａ（Digital to Analog）変換部３５６と、出力部３５８と、ＤＶＤ駆動装置３７０とを備える。
【００３６】
ＣＰＵ３１０は、演算処理中に生成されたデータ、あるいはＣＰＵ３１０に入力されたデータを格納するためのメモリ３１２を含む。ＤＶＤ駆動装置３７０には、ＤＶＤ３７２が装着可能である。ハードディスク装置３４０は、データの書き込みと読み出しとを行なうためのピックアップ３４２と、ハードディスク３４４とを含む。
【００３７】
チューナ３０４は、アンテナ３０２によって受信された信号の入力を受け付ける。チューナ３０４は、ＣＰＵ３１０からの選局命令に基づいて選局が指示されたチャンネルを選択する。当該チャンネルの信号は、ＭＰＥＧエンコーダ３０８に送出される。
【００３８】
外部入力部３０６は、ハードディスクレコーダ３００の外部から映像音声信号の入力を受け付ける。入力された映像音声信号は、ＭＰＥＧエンコーダ３０８に送出される。外部入力部３０６は、信号を伝送するためのケーブルを装着可能な端子として、あるいは赤外線信号、無線信号を受信するための素子として実現される。
【００３９】
ＭＰＥＧエンコーダ３０８は、ＣＰＵ３１０からの指示に基づいて、チューナ３０４あるいは外部入力部３０６から送出された信号を符号化する。ＭＰＥＧエンコーダ３０８によって符号化された信号は、ＣＰＵ３１０の指示に応じてハードディスク装置３４０あるいはＤＶＤ駆動装置３７０に送出される。
【００４０】
ＣＰＵ３１０は、図２に示される処理部２３０として機能する。具体的には、ＣＰＵ３１０は、撮影制御部２３２として、カメラ３２４による撮影動作を制御する。ＣＰＵ３１０は、他の局面においては、文字認識部２３４として、カメラ３２４によって撮影された画像から文字を認識する。さらに他の局面においては、ＣＰＵ３１０は、表示制御部２３６として、ハードディスクレコーダ３００に接続されるテレビ３９０における画像の表示を制御する。ＣＰＵ３１０による各処理は、その処理を実現するために予め準備された各プログラムを実行することにより実現される。各処理の詳細は、フローチャート（図５）を参照して詳述する。
【００４１】
受光部３２０は、ハードディスクレコーダ３００の動作を制御するためのリモコン端末（たとえば図１に示されるリモコン端末５０）によって発信された制御信号（たとえば赤外線信号）を受信し、その信号に応じた制御信号を出力する。当該制御信号は、ＣＰＵ３１０に入力され、ＣＰＵ３１０は、その信号に応じた動作を実現するための命令をハードディスクレコーダ３００の各構成要素に対して送出する。
【００４２】
操作部３２２は、ハードディスクレコーダ３００の筐体の前面にたとえばタッチパネルとして実現される。操作部３２２は、ハードディスクレコーダ３００の使用者による操作を受け付ける。操作部３２２は、その操作に応じた電気信号をＣＰＵ３１０に送出する。ＣＰＵ３１０は、受光部３２０から出力される制御信号と同様に、操作部３２２から出力される信号に応じた動作を実現するための命令を各構成要素に対して出力する。
【００４３】
カメラ３２４は、ＣＣＤあるいはＣＭＯＳ（Complementary Metal-Oxide Semiconductor）等の撮像素子によって実現される。カメラ３２４は、ＣＰＵ３１０からの撮影指示に基づいて予め設定されたモードで撮影動作を実行する。撮影を規定する条件は、変更可能であってもよい。カメラ３２４によって生成された画像データは、Ａ／Ｄ変換部３２６に送出される。
【００４４】
Ａ／Ｄ変換部３２６は、カメラ３２４からの画像データをデジタルデータに変換して、変換後のデータをＣＰＵ３１０に送出する。ＣＰＵ３１０は、そのデータを用いてカメラ３２４によって撮影された視聴者の指の動きを追跡する。
【００４５】
計時回路３２８は、ハードディスクレコーダ３００の内部時刻を表わす情報をＣＰＵ３１０に送出する。表示部３３０は、ＣＰＵ３１０によって出力される命令に基づいて、ハードディスクレコーダ３００の作動状態を表わす表示を行なう。ここで作動状態とは、たとえば、ハードディスクレコーダ３００が映像および音声を再生しているか否か、録画動作を実行しているか否か、その他のハードディスクレコーダ３００が有する機能に基づいて実現される動作の状態をいう。
【００４６】
ハードディスク装置３４０は、ＣＰＵ３１０による指示に基づいて、ＭＰＥＧエンコーダ３０８から出力されたデジタルデータを記録する。あるいは、ハードディスク装置３４０は、ＣＰＵ３１０によって発信された再生命令に基づいて、ハードディスク３４４に既に格納されているデータ（たとえば録画済みの番組、その他のコンテンツデータ）を読み出し、その読み出したデータをＭＰＥＧデコーダ３５０に対して送出する。
【００４７】
ＭＰＥＧデコーダ３５０は、ハードディスク装置３４０から読み出されたデータあるいはＤＶＤ駆動装置３７０に装着されているＤＶＤ３７２から読み出されたデータを復号し、復号したデータを合成回路３５４に送出する。
【００４８】
ＯＳＤ画像生成回路３５２は、ＣＰＵ３１０から出力される信号に基づいて、ハードディスクレコーダ３００の内部の状態を表わす画像データを生成する。当該画像データは、たとえばチューナ３０４によって選択されているチャンネルの表示、計時回路３２８によって取得されている時刻、ハードディスクレコーダ３００から出力される音声のボリュームなどを表示するためのデータを含む。ＯＳＤ画像生成回路３５２は、その生成したデータを合成回路３５４に送出する。
【００４９】
合成回路３５４は、ＭＰＥＧデコーダ３５０から出力される映像データと、ＯＳＤ画像生成回路３５２から出力される画像データとを合成して、合成後のデータをＤ／Ａ変換部３５６に送出する。なお、ＯＳＤ画像生成回路３５２から画像データが出力されていない場合には、合成回路３５４は、ＭＰＥＧデコーダ３５０から出力されるデータのみをＤ／Ａ変換部３５６に送出する。逆に、ＭＰＥＧデコーダ３５０からのデータが合成回路３５４に入力されていない場合には、合成回路３５４は、ＯＳＤ画像生成回路３５２から出力される画像データのみをＤ／Ａ変換部３５６に送出する。
【００５０】
Ｄ／Ａ変換部３５６は、合成回路３５４から出力されたデジタルデータをアナログ信号に変換して、変換後の信号を出力部３５８に出力する。
【００５１】
出力部３５８は、ケーブル３９２の接続を受け付ける。出力部３５８は、Ｄ／Ａ変換部３５６から出力されたアナログ信号をケーブル３９２に対して出力する。
【００５２】
なお、ハードディスクレコーダ３００に接続されるテレビ３９０その他の映像表示装置がデジタルデータの入力を直接受け付けることができる場合には、Ｄ／Ａ変換部３５６は不要である。この場合、合成回路３５４から出力されるデジタルデータは、予め規定された出力処理が行なわれた後、デジタルデータのままハードディスクレコーダ３００の外部に出力される。
【００５３】
なお、映像記録再生装置１００の一態様はハードディスクレコーダ３００であるが、本発明は、その他の映像記録再生装置１００に対しても適用可能である。たとえば、ＤＶＤレコーダその他の光ディスク記録装置、あるいはフラッシュメモリその他のメモリを使用する記録装置等に対しても適用可能である。
【００５４】
ここで、図４を参照して、ハードディスクレコーダ３００のデータ構造について説明する。図４は、ハードディスクレコーダ３００のメモリ３１２におけるデータの格納の一態様を概念的に表わす図である。メモリ３１２は、文字を認識するために使用されるＯＣＲ辞書と、平仮名あるいは片仮名を漢字に変換するための変換辞書とを格納している。
【００５５】
具体的には、メモリ３１２は、平仮名の各文字の標準パターンを格納したテーブル４１０と、カタカナの各文字の標準パターンを格納したテーブル４２０と、英語の大文字の標準パターンを格納したテーブル４３０と、小文字の標準パターンを格納したテーブル４４０と、数字の標準パターンを格納したテーブル４５０と、変換辞書４６０とを格納している。その他の標準パターンがさらに格納されてもよい。たとえば、全角文字あるいは半角文字ごとに上記の各文字の標準パターンが格納されていてもよい。あるいは、文字に加えて、句点、読点その他のタイトルを入力するために使用される記号の標準パターンが用意されていてもよい。
【００５６】
ＣＰＵ３１０がカメラ３２４によって取得された映像信号に基づいて文字を認識する場合、メモリ３１２に格納されている各テーブル４１０から４５０と変換辞書４６０とを参照して、取得された文字の画像から特定の文字を認識する。
【００５７】
次に、図５を参照して、ハードディスクレコーダ３００の制御構造について説明する。図５は、ハードディスクレコーダ３００のＣＰＵ３１０が実行する一連の動作を表わすフローチャートである。
【００５８】
ステップＳ５１０にて、ＣＰＵ３１０は、受光部３２０からの出力に基づいて、タイトルの入力の開始を表わす信号を受信したことを検知する。ステップＳ５１２にて、ＣＰＵ３１０は、その信号の受信の検知に基づいてカメラ３２４をアクティブに設定する。具体的には、ＣＰＵ３１０は、カメラ３２４による撮影を可能とする状態に切り換えるための命令をカメラ３２４に送出する。カメラ３２４は、その命令に応答して、レンズを介して光信号の入来を受け付ける状態に切り換わる。
【００５９】
ステップＳ５１４にて、ＣＰＵ３１０は、受光部３２０からの出力に基づいて、リモコン端末によって発信された信号（すなわち、軌跡の入力の開始を表わす信号）を受信したことを検知する。当該信号は、たとえば、そのリモコン端末に設けられた特定のボタンを押下することにより発信される。
【００６０】
ステップＳ５１６にて、ＣＰＵ３１０は、カメラ３２４に命令を送出して、ハードディスクレコーダ３００の前面に位置する視聴者（リモコン端末の操作者）の指の動きをカメラ３２４に撮影させる。
【００６１】
ステップＳ５１８にて、ＣＰＵ３１０は、その指の動きを表示するための画像データをＭＰＥＧデコーダ３５０に対して出力する。ＭＰＥＧデコーダ３５０は、そのデータを合成回路３５４に転送する。このとき、ＣＰＵ３１０は、ハードディスクレコーダ３００の動作モードがタイトルの入力モードであることを表わすメッセージ画像をＯＳＤ画像生成回路３５２に生成させる。ＯＳＤ画像生成回路３５２は、そのメッセージ画像を合成回路３５４に出力する。合成回路３５４は、ＯＳＤ画像生成回路３５２からの画像メッセージと、ＭＰＥＧデコーダ３５０からの指の軌跡を表わす画像データとを合成して、Ｄ／Ａ変換部３５６に送信する。アナログ信号に変換された画像データがハードディスクレコーダ３００の外部に出力されると、その信号はケーブル３９２を介してテレビ３９０に送られる。テレビ３９０は、その信号に基づいて指の軌跡を表わす画像を表示する。
【００６２】
ステップＳ５２０にて、ＣＰＵ３１０は、受光部３２０からの出力に基づいて、軌跡の入力の終了を表わす信号をリモコン端末から受信したか否かを判断する。ＣＰＵ３１０が、その信号を受信したと判断すると（ステップＳ５２０にてＹＥＳ）、制御はステップＳ５２２に移される。そうでない場合には（ステップＳ５２０にてＮＯ）、制御はステップＳ５１６に戻される。
【００６３】
ステップＳ５２２にて、ＣＰＵ３１０は、ＯＳＤ画像生成回路３５２を介して、文字の入力を終了するか否かを問い合せるメッセージを表示する信号を出力する。この信号がハードディスクレコーダ３００からテレビ３９０に入力されると、テレビ３９０は、そのメッセージを表示する。ＣＰＵ３１０は、さらに、メモリ３１２に格納されているデータに基づいて文字を認識する。すなわち、ＣＰＵ３１０は、出力した上記信号に対する回答を待機する間に、メモリ３１２のテーブル４１０〜４５０を参照して、標準パターンを認識する。認識の結果は、メモリ３１２に改めて確保された領域に格納される。
【００６４】
ステップＳ５３０にて、ＣＰＵ３１０は、受光部３２０からの出力に基づいて、文字の入力の終了を表わす信号を受信したか否かを判断する。ＣＰＵ３１０がその信号を受信したと判断すると（ステップＳ５３０にてＹＥＳ）、制御はステップＳ５４０に移される。そうでない場合には（ステップＳ５３０にてＮＯ）、制御はステップＳ５６０に移される。
【００６５】
ステップＳ５４０にて、ＣＰＵ３１０は、受光部３２０からの出力に基づいて、文字を漢字に変換する指示を表わす信号を受信したか否かを判断する。ＣＰＵ３１０がそのような信号を受信していると判断すると（ステップＳ５４０にてＹＥＳ）、制御はステップＳ５４２に移される。そうでない場合には（ステップＳ５４０にてＮＯ）、制御はステップＳ５４４に移される。
【００６６】
ステップＳ５４２にて、ＣＰＵ３１０は、メモリ３１２に格納されている変換辞書４６０を参照して、認識された文字を漢字に変換する。変換された漢字は、メモリ３１２に書き込まれる。
【００６７】
ステップＳ５４４にて、ＣＰＵ３１０は、ＯＳＤ画像生成回路３５２を介して、タイトルの入力を終了するか否かを問い合せるメッセージを出力する。このメッセージがテレビ３９０に入力されると、テレビ３９０は、そのメッセージを画面に表示する。
【００６８】
ステップＳ５５０にて、ＣＰＵ３１０は、受光部３２０からの出力に基づいて、タイトルの入力の終了を表わす信号を受信したか否かを判断する。ＣＰＵ３１０がそのような信号を受信していると判断すると（ステップＳ５５０にてＹＥＳ）、制御はステップＳ５７０に移される。そうでない場合には（ステップＳ５５０にてＮＯ）、制御はステップＳ５６０に移される。
【００６９】
ステップＳ５６０にて、ＣＰＵ３１０は、ＯＳＤ画像生成回路３５２を介して、指の動きによる軌跡の入力を促すメッセージを表示するための信号を出力する。この信号がハードディスクレコーダ３００からテレビ３９０に入力されると、テレビ３９０は、軌跡の入力を促すメッセージを画面に表示する。視聴者は、そのメッセージを見て、入力をさらに続けるかどうかを判断することができる。その後、制御はステップＳ５１４に戻される。
【００７０】
ステップＳ５７０にて、ＣＰＵ３１０は、入力されたタイトルを録画データに関連付けて、メモリ３１２に格納する。これにより、視聴者の指の操作によって入力された文字情報がハードディスクレコーダ３００に格納される。
【００７１】
ここで、図６を参照して、ハードディスクレコーダ３００による文字の認識について説明する。図６は、ハードディスクレコーダ３００によって認識された文字のテレビ３９０における表示を表わす図である。
【００７２】
ここでは、視聴者がタイトルとして「映画」を入力する場合について説明する。文字の入力は、たとえば平仮名を入力した後に、漢字など他の文字に変換する態様が考えられるが、他の態様、たとえばカタカナを入力した後に漢字に変換する態様であってもよい。ハードディスクレコーダ３００がカメラ３２４による撮影を開始すると、ハードディスクレコーダ３００によって認識された画像は、テレビ３９０の画面に表示される。
【００７３】
最初に視聴者が平仮名「え」のうちの上部の点を指で描くと、その指の動きは、ハードディスクレコーダ３００によって認識される。その指の動きは、テレビ３９０に表示される（図６における画面Ａ）。
【００７４】
次に、視聴者が「え」の残りの部分を一筆書きすると、平仮名「え」の画像は画面Ｂに示されるように表示される。
【００７５】
視聴者が文字の入力を続けるための操作をリモコン端末に対して行なった後、その次の平仮名である「い」を描くための動作を行なう。最初に平仮名「い」の左側の部分を指でなぞると、その軌跡はテレビ３９０に表示される（画面Ｃ）。平仮名「い」の左側の部分と右側の部分とは分離している。そこで、視聴者は、リモコン端末を操作して、新たな軌跡を入力することを表わす信号をリモコン端末に発信させる。ハードディスクレコーダ３００は、その信号の受信を検知すると、既に認識した平仮名「い」の左側の部分に加えて右側の部分を同一の領域上において取得する。その結果、平仮名「い」がテレビ３９０に表示される（画面Ｄ）。
【００７６】
次に、視聴者が平仮名「が」を入力するための指の動きをカメラ３２４に撮影させると、その動きに応じた画像は、画面Ｅ〜画面Ｉに示されるように順次表示される。
【００７７】
視聴者がリモコン端末を操作して、文字の入力の終了を指示すると（ステップＳ５３０にてＹＥＳ）、ハードディスクレコーダ３００のＣＰＵ３１０は、メモリ３１２のワーク領域から平仮名「え」、「い」、「が」の各文字を読み出して、ＯＳＤ画像生成回路３５２を介して、各文字をテレビ３９０に表示させる（画面Ｊ）。
【００７８】
視聴者がリモコン端末を操作して、文字を漢字に変換する指示をハードディスクレコーダ３００に送信すると（ステップＳ５４０にてＹＥＳ）、ＣＰＵ３１０は、変換辞書４６０を参照して、メモリ３１２のワーク領域に格納されている平仮名「えいが」を漢字「映画」に変換する。ＣＰＵ３１０は、変換後のデータをＯＳＤ画像生成回路３５２を介してテレビ３９０に出力する。テレビ３９０は、入力されたタイトルが「映画」であることを示す画像を表示する（画面Ｋ）。
【００７９】
ここで、図７を参照して、ハードディスクレコーダ３００のデータ構造についてさらに説明する。図７は、ハードディスク３４４におけるデータの格納の一態様を表わす図である。ハードディスク３４４は、録画されるデータ（コンテンツ）の管理情報を格納するための領域７１０と、各コンテンツを格納するための領域７２０，７３０などを含む。
【００８０】
たとえば、第１のコンテンツのタイトルを表わすデータ「映画」は、領域７１０に格納される。その他のコンテンツのタイトルもこの領域に格納される。そして、第１のコンテンツの実体を表わす映像音声データは、領域７２０に格納される。同様にして第２のコンテンツの映像音声データは、領域７３０に格納される。領域７１０に格納されるデータは書換可能である。したがって、ハードディスクレコーダ３００の使用者がリモコン端末を操作してタイトルを入力し直すと、既に入力されているタイトル（たとえば「映画」）は他のタイトルに変更される。
【００８１】
以上のようにして、本実施の形態に係るハードディスクレコーダ３００は、指の動きを撮影して、その撮影の結果から文字を構成する軌跡を特定する。ハードディスクレコーダ３００は、ＯＣＲ辞書を参照して、その軌跡から線画を認識する。さらに、ハードディスクレコーダ３００は、認識した線画と、文字の標準パターンのテーブルとに基づいて、標準文字を認識する。ハードディスクレコーダ３００は、その標準文字と変換辞書４６０とを用いて、必要な変換処理（たとえば平仮名から漢字への変換、平仮名からカタカナへの変換、カタカナから漢字への変換など）を実行する。
【００８２】
このようにすると、視聴者は、記録されている音声映像データのタイトルを指の動きを用いて入力することができるため、文字の入力が容易になる。また、文字の入力に要する時間が短くなる。その結果、特に、リモコン端末のボタン操作が不得手な使用者に対する利便性が向上し得る。
【００８３】
また、本実施の形態に係るハードディスクレコーダ３００によると、文字を構成する軌跡単位の入力が可能になるため、正確な入力が可能になる。その結果、操作者の意図しない入力を防止することができる。
【００８４】
＜第２の実施の形態＞
【００８５】
以下、本発明の第２の実施の形態について説明する。本実施の形態に係る映像記録再生装置は、外部から入力される映像信号に基づいてタイトルの入力を受け付ける点で、第１の実施の形態に係る映像記録再生装置１００と異なる。すなわち、本実施の形態に係る映像記録再生装置は、カメラのような撮影機能を有しておらず、映像信号の入力を受け付けるインターフェイス機能を有する。
【００８６】
そこで、まず、図８を参照して、本発明の第２の実施の形態に係るハードディスクレコーダ８００の構成について説明する。図８は、ハードディスクレコーダ８００のハードウェア構成を表わすブロック図である。
【００８７】
なお、第１の実施の形態に係るハードディスクレコーダ３００が備える構成と同一の構成には同一の参照符号を付してある。それらの機能も同じである。したがって、そのような構成および機能についての説明は、繰り返さない。
【００８８】
ハードディスクレコーダ８００は、カメラ３２４に代えてインターフェイス８１０を備える。インターフェイス８１０は、カメラユニット８２０の接続を受け付ける。インターフェイス８１０は、カメラユニット８２０から送信された画像信号の入力を受けて、その信号をＣＰＵ３１０に転送する。
【００８９】
またインターフェイス８１０は、ＣＰＵ３１０によって発信された制御信号に基づいて、カメラユニット８２０を駆動するための信号を出力する。カメラユニット８２０は、たとえばＣＣＤあるいはＣＭＯＳ素子などにより実現される。
【００９０】
ここで、図９を参照して、本実施の形態に係るハードディスクレコーダ８００に接続されるカメラユニット８２０について説明する。図９は、カメラユニット８２０のハードウェア構成を表わすブロック図である。カメラユニット８２０は、ＣＰＵ９１０と、入力インターフェイス９２０と、レンズ９３０と、ＣＣＤ素子９４０と、信号処理回路９５０と、メモリ９６０と、出力インターフェイス９８０とを含む。
【００９１】
ＣＰＵ４１０は、カメラユニット８２０を構成する各要素を制御する。具体的には、ＣＰＵ９１０は、入力インターフェイス９２０を介して入力された制御信号に基づいて、ＣＣＤ素子９４０と信号処理回路９５０とを駆動する。
【００９２】
入力インターフェイス９２０は、ケーブル８３０の接続を受け付ける。入力インターフェイス９２０は、ハードディスクレコーダ８００から送信された信号を受けて、その信号をＣＰＵ９１０に伝送する。ハードディスクレコーダ８００から送信される信号は、カメラユニット８２０に予め規定された撮影動作を実行させるための制御信号、あるいは、カメラユニット８２０による撮影を終了するための信号を含む。
【００９３】
レンズ９３０は、カメラユニット８２０に対して予め定められた位置に配置されている。レンズ８３０によって集められた光信号は、ＣＣＤ素子９４０に伝送される。ＣＣＤ素子９４０は、ＣＰＵ９１０からの命令に基づいて駆動し、光信号を電気信号に変換し、生成された電気信号を信号処理回路９５０に送出する。
【００９４】
信号処理回路９５０は、ＣＰＵ９１０から出力される指示に基づいて、ＣＣＤ素子９４０から出力された電荷に対して予め定められた信号処理を行なう。信号処理回路９５０から出力されたデータは、メモリ９６０において予め確保された領域に格納される。
【００９５】
出力インターフェイス９８０は、メモリ９６０に格納されているデータをハードディスクレコーダ８００に送信する。その結果、カメラユニット８２０によって撮影された視聴者の指の動きを表わす信号は、ハードディスクレコーダ８００に入力される。
【００９６】
その信号は、第１の実施の形態に係るハードディスクレコーダ３００の内部の処理と同様の処理を受ける。
【００９７】
以上のようにして、本発明の第２の実施の形態に係るハードディスクレコーダ８００によると、視聴者の指の動きを撮影するためのカメラユニット８２０の配置の自由度が高まる。したがって、たとえば、ハードディスクレコーダ８００に接続されるテレビの近傍にカメラユニット８２０を設置することも可能になる。その結果、視聴者を撮影するための位置を調整することが可能になり、たとえば、視聴者の正面に近い方向から撮影することも可能になる。このようにすると、その視聴者の指も精度よく撮影できるため、指の動きによる文字の入力の精度を高めることができる。
【００９８】
＜変形例＞
【００９９】
以下、本発明の実施の形態の他の局面における変形例について説明する。前述の第１および第２の実施の形態においては、視聴者は指を動かすことにより、タイトルの入力を行なったが、入力の手段は、当該指に限られない。たとえば、映像記録再生装置を制御するためのリモコン端末を用いて入力してもよい。この場合、ハードディスクレコーダが備えるカメラ（たとえばハードディスクレコーダ３００におけるカメラ３２４）による撮影を確実に行なうために、本変形例においては、リモコン端末が発光する素子あるいは光を反射する素子を備える構成であってもよい。
【０１００】
そこで、図１０を参照して、本変形例に係るリモコン端末１０００について説明する。図１０は、リモコン端末１０００の外観を表わす図である。リモコン端末１０００は、ハードディスクレコーダ３００に対して制御信号を発信するための発信部１０１０と、ディスプレイ１００２と、外部から指示の入力を受けてその入力に応じた信号を出力する操作部１０４０とを備える。たとえば、操作部１０４０は、ボタンあるいはダイヤルによって実現される。より具体的には、操作部１０４０は、ディスプレイ１００２に表示されるカーソルの上下および左右方向を指定するためのカーソルボタン１００４ａ，１００４ｂ，１００４ｃ，１００４ｄと、リモコン端末１０００の使用者によって入力されたデータを確定するための指示の入力を受ける決定ボタン１０１４と、出力される制御信号の値をアップあるいはダウン（たとえばチャンネルのアップ選局あるいはダウン選局、音量のアップあるいはダウンなど）させるためのアップダウンボタン１００８と、数字ボタン１００６とを含む。アップダウンボタン１００８は、第１のアップボタン１０１８ａと、第１のダウンボタン１０１８ｂと、第２のアップボタン１０２８ａと、第２のダウンボタン１０２８ｂとを含む。
【０１０１】
リモコン端末１０００において、発信部１０１０は、カメラ３２４による認識が明確となるような材質によって構成されている。たとえば、発信部１０１０は、半球状の樹脂によって形成されている。この樹脂は、リモコン端末１０００の筐体の前面とは異なる色によって表示される。この場合、カメラ３２４は、リモコンの動きのうち発信部１０１０を特に認識することができるため（たとえば２値化処理が実行された場合）、入力されるタイトルの誤認識の低下を防止することができる。
【０１０２】
あるいは、発信部１０１０の表面には、制御信号を透過しつつ、外部の光を反射するような処理が施されていてもよい。このようにしても、カメラ３２４による認識性が向上するため、軌跡が正確に認識され、結果として、文字の入力精度が向上する。
【０１０３】
以上のようにして、本変形例に係るリモコン端末１０００によると、その筐体の先頭部分（たとえば発信部１０１０）の表面は、カメラ３２４によって認識可能な処理が施されている。そのため、リモコン端末１０００の使用者は、リモコン端末１０００を動かすことにより文字を構成する軌跡を描くことにより、文字を入力することができる。また、軌跡の入力の開始あるいは終了または文字の入力の開始あるいは終了などの指示はリモコン端末１０００を介して行なわれる。
【０１０４】
したがって、当該使用者は、リモコン端末１０００を動かしつつ操作部１０４０を操作して、軌跡の入力（リモコン端末１０００を動かすこと）と指示の入力（ボタン操作）とを片手で行なうことができる。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０６】
本発明は、ハードディスクレコーダ、ＤＶＤレコーダ、ＶＴＲ（Video  Tape  Recorder）その他のデータ記録再生装置に適用可能である。
【図面の簡単な説明】
【０１０７】
【図１】本発明の第１の実施の形態に係る映像記録再生装置１００の使用態様を表わす図である。
【図２】映像記録再生装置１００によって実現される機能の構成を表わすブロック図である。
【図３】映像記録再生装置１００の一態様として実現されるハードディスクレコーダ３００のハードウェア構成を表わすブロック図である。
【図４】ハードディスクレコーダ３００のメモリ３１２におけるデータの格納の一態様を概念的に表わす図である。
【図５】ハードディスクレコーダ３００のＣＰＵ３１０が実行する一連の動作を表わすフローチャートである。
【図６】ハードディスクレコーダ３００によって認識された文字のテレビ３９０における表示を表わす図である。
【図７】ハードディスク３４４におけるデータの格納の一態様を表わす図である。
【図８】本発明の第２の実施の形態に係るハードディスクレコーダ８００のハードウェア構成を表わすブロック図である。
【図９】ハードディスクレコーダ８００に接続されるカメラユニット８２０のハードウェア構成を表わすブロック図である。
【図１０】本発明の他の局面におけるリモコン端末１０００の外観を表わす図である。
【符号の説明】
【０１０８】
１０  部屋、２０  椅子、３０  視聴者、４０  人差指、５０  リモコン端末、１００  映像記録再生装置、１９０  ケーブル、２００  テレビ、３０２  アンテナ、３４２  ピックアップ、３４４  ハードディスク、３７２  ＤＶＤ、３９２  ケーブル、３９０  テレビ、８２０  カメラユニット、１０００  リモコン端末、１００２  ディスプレイ、１００４ａ，１００４ｂ，１００４ｃ，１００４ｄ  カーソルボタン、１００６  数字ボタン、１００８  アップボタン、１０１０  発信部、１０１４  決定ボタン、１０１８ａ  第１のアップボタン、１０１８ｂ  第１のダウンボタン、１０２８ａ  第２のアップボタン、１０２８ｂ  第２のダウンボタン、１０４０  操作部。
【図１】
2008108051.tif 000003
【図２】
2008108051.tif 000004
【図３】
2008108051.tif 000005
【図４】
2008108051.tif 000006
【図５】
2008108051.tif 000007
【図６】
2008108051.tif 000008
【図７】
2008108051.tif 000009
【図８】
2008108051.tif 000010
【図９】
2008108051.tif 000011
【図１０】
2008108051.tif 000012